(57)【要約】【課題】  裏面壁を水路を構成する表面と異なる形状とすることができ、裏面壁の形状を水路を構成する表面に影響を与えることなく別途作業性を考慮した形状とすることができる半割管を提供する。【解決手段】  半割管１は、略半円弧状の水路形成面壁２および裏面壁３からなる。水路形成面壁２と裏面壁３と間には中空部４を有するとともに、裏面壁３の一部が水路形成面壁２に対して一体となった溶着部５を有している。水路形成面壁２と裏面壁３はそれぞれ異なった形状に形成されている。裏面壁２に形成された溶着部５は水路形成面壁２に設けられた切断予定線７に対応した位置に配置されている。半割管の水路方向末端には複数の半割管を直列に固定するための連結手段が一体に設けられている。【選択図】      図１
2008031794.tif 000002
【特許請求の範囲】
【請求項１】
略半円弧状の水路形成面壁および裏面壁からなる半割管であって、
水路形成面壁と裏面壁と間には中空部を有するとともに、
裏面壁の少なくとも一部が水路形成面壁に対して一体となった溶着部を有し、
水路形成面壁と裏面壁がそれぞれ異なった形状に形成されている
ことを特徴とする半割管。
【請求項２】
半割管の水路方向における少なくとも一方の末端には傾斜部が形成されており、
傾斜部は連結面と裏面壁のなす角が鈍角となるように形成されており、
裏面壁の下端の仮想線と半割管の末端における下端との間に隙間が設けられている
ことを特徴とする請求項１記載の半割管。
【請求項３】
裏面壁に形成された前記溶着部は水路形成面壁に設けられた切断予定線に対応した位置に配置されている
ことを特徴とする請求項１記載の半割管。
【請求項４】
半割管の水路方向末端には複数の半割管を直列に固定するための連結手段が一体に設けられており、
連結手段は一方の末端に形成された固着用フランジおよび水路形成面壁より裏面壁側へ段落ちした段部と、
他方の末端に形成された固着用フランジおよび前記段部に対応する突出部からなり、
前記段部および突出部の少なくとも一部にそれぞれ形成された鉤状突起を噛み合せるとともに、
互いに重ね合わせた固着用フランジを連結部材により固定する
ことを特徴とする請求項１記載の半割管。
【発明の詳細な説明】
【技術分野】
【０００１】
本発明は、排水管等の内部に新たに水路を設けるために用いられる半割管であって、ブロー成形もしくはシートブロー成形により中空状に形成され、強度が高く、施工時の作業性の良好な半割管に関するものである。
【背景技術】
【０００２】
地中に埋設された管路内に新規の水路を構成するための水路構成部材として繊維強化プラスチック（ＦＲＰ）により形成された半割管は、特開２００５−９８０７０公報および特開２００５−７６３６５公報に記載されている。
【特許文献１】特開２００５−９８０７０公報
【特許文献２】特開２００５−７６３６５公報
【発明の開示】
【発明が解決しようとする課題】
【０００３】
前掲の公報に記載されている半割管は、地中に埋設された管路内に新規の水路を構成するための水路構成部材として繊維強化プラスチック（ＦＲＰ）により形成されたものであるが、ブロー成形などにより中空二重壁構造に形成されたものとは異なり、単壁構造からなるものであるから、水路を構成する表面と裏面とは実質同一の形状となり、施工時の作業性に劣るものであった。
【０００４】
そこで本発明は、裏面壁を水路を構成する表面と異なる形状とすることができ、裏面壁の形状を水路を構成する表面に影響を与えることなく別途作業性を考慮した形状とすることができる半割管を提供しようとするものである。
【課題を解決するための手段】
【０００５】
本発明の請求項１に係る半割管は、略半円弧状の水路形成面壁および裏面壁からなる半割管であって、水路形成面壁と裏面壁と間には中空部を有するとともに、裏面壁の少なくとも一部が水路形成面壁に対して一体となった溶着部を有し、水路形成面壁と裏面壁がそれぞれ異なった形状に形成されている
ことを特徴とするものである。
【０００６】
本発明の請求項２に係る半割管は、請求項１記載の半割管において、半割管の水路方向における少なくとも一方の末端には傾斜部が形成されており、傾斜部は連結面と裏面壁のなす角が鈍角となるように形成されており、裏面壁の下端の仮想線と半割管の末端における下端との間に隙間が設けられていることを特徴とするものである。
【０００７】
本発明の請求項３に係る半割管は、請求項１記載の半割管において、裏面壁に形成された前記溶着部は水路形成面壁に設けられた切断予定線に対応した位置に配置されていることを特徴とするものである。
【０００８】
本発明の請求項４に係る半割管は、請求項１記載の半割管において、半割管の水路方向末端には複数の半割管を直列に固定するための連結手段が一体に設けられており、連結手段は一方の末端に形成された固着用フランジおよび水路形成面壁より裏面壁側へ段落ちした段部と、他方の末端に形成された固着用フランジおよび前記段部に対応する突出部からなり、前記段部および突出部の少なくとも一部にそれぞれ形成された鉤状突起を噛み合せるとともに、互いに重ね合わせた固着用フランジを連結部材により固定することを特徴とするものである。
【発明の効果】
【０００９】
本発明によれば、裏面壁を水路を構成する表面と異なる形状とすることができ、裏面壁の形状を水路を構成する表面に影響を与えることなく別途作業性を考慮した形状とすることができる半割管が得られるものである。
【発明を実施するための最良の形態】
【００１０】
図１は本発明に係る半割管の斜視図、図２は同上裏面図、図３は図１のＡ−Ａ線断面図、図４は図１のａ−ａ線断面図およびｂ−ｂ線断面図である。
【００１１】
図1ないし図4において、１は半割管である。半割管１は、略半円弧状の水路形成面壁２および裏面壁３からなる二重壁構造であって、水路形成面壁２と裏面壁３と間には中空部４を有するとともに、裏面壁３の少なくとも一部が水路形成面壁に対して一体となった溶着部５を有し、水路形成面壁２と裏面壁３がそれぞれ異なった形状に形成されている。水路形成面壁２の両端縁には適間隔ごとに取付片６が形成されている。半割管１の水路形成面壁２には適間隔ごとに切断予定線７が入れてあって、施工時に所要の長さとなるように一部を切断することができるようになっている。裏面壁３に形成された溶着部５は水路形成面壁２に設けられた切断予定線７に対応した位置に配置されている。
【００１２】
半割管１の水路方向における少なくとも一方の末端には、傾斜部８が形成されており、半割管１の両末端には連結面９が形成されており、傾斜部８は連結面９と裏面壁３のなす角が鈍角となるように形成されている。図２に示すように裏面壁３の下端の延長仮想線ｃと傾斜部末端の水準線ｄとの間に隙間ｅが設けられている。傾斜部８による隙間ｅが設けられていることにより、施工時に半割管を配置する際に排水路の内部に微少な凹凸があっても突き当たることなく円滑に半割管を移動、配置することができる。
【００１３】
半割管１の水路方向末端には、複数の半割管１を直列に固定するための連結手段を一体に備えており、連結手段は一方の末端に形成された固着用フランジ１０および水路形成面壁２より裏面壁３側へ段落ちした段部１１と、他方の末端に形成された固着用フランジ１２および前記段部１１に対応する突出部１３からなり、前記段部１１および突出部１３の少なくとも一部にそれぞれ形成された鉤状突起１４を噛み合せるとともに、互いに重ね合わせた固着用フランジ１０を連結部材により固定する構成となっている。
【００１４】
半割管１は、ポリオレフィンその他の熱可塑性樹脂をブロー成形して一体に形成され、前述のように中空二重壁構造をなしているとともに、裏面壁３を水路を構成する水路形成面壁２の表面と異なる形状とすることにより裏面壁には溶着部からなるリブを設けることができ繊維強化プラスチック等を用いることなく半割管の強度を高くすることができ、裏面壁３の形状を水路形成面壁２の水路を構成する表面に影響を与えることなく別途作業性を考慮した形状に形成されているものである。
【図面の簡単な説明】
【００１５】
【図１】本発明に係る半割管の斜視図である。
【図２】同上裏面図である。
【図３】図１のＡ−Ａ線断面図である。
【図４】、図４は図１のａ−ａ線断面図およびｂ−ｂ線断面図である。
【符号の説明】
【００１６】
１  半割管
２  水路形成面壁
３  裏面壁
４  中空部
５  溶着部
６  取付片
７  切断予定線
８  傾斜部
９  連結面
１０  固着用フランジ
１１  段部
１２  固着用フランジ
１３  突出部
１４  鉤状突起
ｃ  裏面壁の下端の延長仮想線
ｄ  傾斜部末端の水準線
ｅ  隙間
【図１】
2008031794.tif 000003
【図２】
2008031794.tif 000004
【図３】
2008031794.tif 000005
【図４】
2008031794.tif 000006